【手続補正書】
【提出日】平成25年4月4日(2013.4.4)
【手続補正１】
【補正対象書類名】特許請求の範囲
【補正対象項目名】全文
【補正方法】変更
【補正の内容】
【特許請求の範囲】
【請求項１】
少なくとも第１の周波数チャネルおよび第２の周波数チャネルで同時に通信可能な無線通信装置であって、
前記第２の周波数チャネルの情報として前記第２の周波数チャネルの識別子と、前記第２の周波数チャネルの周波数帯情報と、前記第２の周波数チャネルで用いるグループ識別情報とを前記第１の周波数チャネルで通知する通知手段と、
前記第１の周波数チャネルおよび第２の周波数チャネルでフレームを送受信する通信手段とを備え、
前記フレームが送信元アドレスと送信先アドレスを含み、
前記通信手段が、第１のアドレスが送信元アドレスに記載された接続要求フレームを前記第１の周波数チャネルで受信し、前記接続要求フレームの接続要求を許可した後、前記第１のアドレスが送信元アドレスに記載された前記第２の周波数チャネルへの変更要求フレームを前記第１の周波数チャネルで受信し、前記変更要求フレームの変更要求を許可すると、前記第２の周波数チャネルで、前記第１のアドレスを送信先アドレスとして指定したフレームの送信と、前記第１のアドレスが送信元アドレスに記載されたフレームの受信をする無線通信装置。 
【請求項２】
前記通知手段は、前記第２の周波数チャネルの情報として前記第２の周波数チャネルで用いられる通信方式をさらに通知する請求項１記載の装置。
【請求項３】
前記通信方式は、複数の変調符号化方式を含み、
前記通信手段は、前記変更要求フレームの変更要求を許可した場合、前記変調符号化方式を用いて、前記第２の周波数チャネルでの前記第１のアドレスを送信先アドレスとして指定したフレームの送信と、前記第１のアドレスが送信元アドレスに記載されたフレームの受信をする請求項２記載の装置。 
【請求項４】
前記通知手段は、前記第１の周波数チャネルの情報として前記第１の周波数チャネルの識別子と、前記第１の周波数チャネルの周波数帯情報と、前記無線通信装置が前記第１の周波数チャネルで属するグループのグループ識別情報とを前記第２の周波数チャネルで通知する請求項１記載の装置。
【請求項５】
前記通信手段は、前記第１の周波数チャネルを用いて、前記第２の周波数チャネルへの変更要求に対する許可を第１の応答フレームで送信し、前記第１のアドレスが送信元アドレスに記載された前記第２の周波数チャネルへの変更完了通知フレームを前記第２の周波数チャネルで受信した後、第２の応答フレームを前記第２の周波数チャネルで送信する請求項１記載の装置。
【請求項６】
前記第１のアドレスが送信元アドレスに記載されたフレームによって通知された通信方式を、前記第１のアドレスともに保持する接続管理テーブルをさらに具備し、前記通信手段は、前記接続管理テーブルを参照して、前記第１のアドレスを送信先アドレスとして指定したフレームの送信と、前記第１のアドレスが送信元アドレスに記載されたフレームの受信をする際に使用する通信方式を決定する請求項１記載の装置。
【請求項７】
少なくとも第１の周波数チャネルおよび第２の周波数チャネルで通信可能であり、かつそのうちの少なくとも一つの周波数チャネルを選択して通信を行う無線通信装置であって、
第３の周波数チャネルの情報として、前記第３の周波数チャネルの周波数帯情報と、前記第３の周波数チャネルで用いるグループ識別情報とを前記第１の周波数チャネルで受信する受信手段と、
前記第１の周波数チャネルもしくは第２の周波数チャネルでフレームを送受信する通信手段とを備え、
前記フレームが送信元アドレスと送信先アドレスを含み、前記通信手段が、第１のアドレスを送信先アドレスに記載した接続要求フレームを前記第１の周波数チャネルで送信し、前記接続要求フレームに対する許可を受信し、前記第３の周波数チャネルが前記第２の周波数チャネルと一致した場合に前記第１のアドレスを送信先アドレスに記載した前記第２の周波数チャネルへの変更要求フレームを前記第１の周波数チャネルで送信し、前記変更要求フレームに対する許可を受信すると、前記第３の周波数チャネルの情報を用いて前記第２の周波数チャネルで通信を行う無線通信装置。
【請求項８】
前記第３の周波数チャネルの情報が、他の無線通信装置から通知される周波数チャネルの情報である請求項７記載の装置。
【請求項９】
前記接続要求フレームが、前記第１の周波数チャネルおよび第２の周波数チャネルで使用可能な通信方式に関する情報を含み、
前記通信手段は、前記第１の周波数チャネルで使用可能な通信方式を用いて前記第１の周波数チャネルで通信を行い、前記第２の周波数チャネルへの変更要求フレームに対する許可を受信した場合に、前記第２の周波数チャネルで使用可能な通信方式を用いて、前記第２の周波数チャネルで通信を行う請求項７記載の装置。
【請求項１０】
前記通信方式が、複数の変調符号化方式を含み、
前記通信手段は、前記第１の周波数チャネルで使用可能な変調符号化方式を用いて前記第１の周波数チャネルで通信を行い、前記第２の周波数チャネルへの変更要求フレームに対する許可を受信した場合に、前記第２の周波数チャネルで使用可能な変調符号化方式を用いて、前記第２の周波数チャネルで通信を行う請求項９記載の装置。
【請求項１１】
少なくとも第１の周波数チャネルおよび第２の周波数チャネルで同時に通信可能な無線通信装置であって、
前記第２の周波数チャネルの情報として前記第２の周波数チャネルのチャネル幅と、前記第２の周波数チャネルの中心周波数とを前記第１の周波数チャネルで通知する通知手段と、
前記第１の周波数チャネルおよび第２の周波数チャネルでフレームを送受信する通信手段とを備え、
前記フレームが送信元アドレスと送信先アドレスを含み、
前記通信手段が、第１のアドレスが送信元アドレスに記載された接続要求フレームを前記第１の周波数チャネルで受信し、前記接続要求フレームの接続要求を許可した後、前記第１のアドレスが送信元アドレスに記載された前記第２の周波数チャネルへの変更要求フレームを前記第１の周波数チャネルで受信すると、前記第１のアドレスを送信先アドレスとして指定した送達確認フレームを前記第１の周波数チャネルで送信し、前記第２の周波数チャネルで、前記第１のアドレスを送信先アドレスとして指定したフレームの送信と、前記第１のアドレスが送信元アドレスに記載されたフレームの受信をする無線通信装置。
【請求項１２】
前記通知手段は、前記第２の周波数チャネルの情報として前記第２の周波数チャネルで用いられる通信方式をさらに通知する請求項１１記載の装置。
【請求項１３】
前記通信方式は、複数の変調符号化方式を含み、
前記通信手段は、前記変更要求フレームを受信した場合、前記変調符号化方式を用いて、前記第２の周波数チャネルでの前記第１のアドレスを送信先アドレスとして指定したフレームの送信と、前記第１のアドレスが送信元アドレスに記載されたフレームの受信をする請求項１２記載の装置。
【請求項１４】
前記接続要求フレームおよび前記変更要求フレームがユニキャストの管理フレームである請求項１１記載の装置。
【請求項１５】
前記送達確認フレームが制御フレームである請求項１１記載の装置。
【請求項１６】
前記第１の周波数チャネルおよび第２の周波数チャネルが部分的に周波数上で重なる請求項１１記載の装置。
【請求項１７】
前記通知手段が、beaconフレームあるいはprobe responseフレームを用いて通知を行う請求項１１記載の装置。
【請求項１８】
前記第１のアドレスが送信元アドレスに記載されたフレームによって通知された通信方式を、前記第１のアドレスともに保持する接続管理テーブルをさらに具備し、
前記通信手段は、前記接続管理テーブルを参照して、前記第１のアドレスを送信先アドレスとして指定したフレームの送信と、前記第１のアドレスが送信元アドレスに記載されたフレームの受信をする際に使用する通信方式を決定する請求項１１記載の装置。
【請求項１９】
少なくとも第１の周波数チャネルおよび第２の周波数チャネルで通信可能であり、かつそのうちの少なくとも一つの周波数チャネルを選択して通信を行う無線通信装置であって、
第３の周波数チャネルの情報として、前記第３の周波数チャネルのチャネル幅と中心周波数とを前記第１の周波数チャネルで受信する受信手段と、
前記第１の周波数チャネルもしくは第２の周波数チャネルでフレームを送受信する通信手段とを備え、
前記フレームが送信元アドレスと送信先アドレスを含み、
前記通信手段が、第１のアドレスを送信先アドレスに記載した接続要求フレームを前記第１の周波数チャネルで送信し、前記接続要求フレームに対する許可を受信し、前記第３の周波数チャネルが前記第２の周波数チャネルと一致した場合に前記第１のアドレスを送信先アドレスに記載した前記第２の周波数チャネルへの変更要求フレームを前記第１の周波数チャネルで送信し、前記変更要求フレームに対する送達確認フレームを受信すると、前記第３の周波数チャネルの情報を用いて前記第２の周波数チャネルで通信を行う無線通信装置。
【請求項２０】
前記第３の周波数チャネルの情報が、他の無線通信装置から通知される周波数チャネルの情報である請求項１９記載の装置。
【請求項２１】
前記接続要求フレームが、前記第１の周波数チャネルおよび第２の周波数チャネルで使用可能な通信方式に関する情報を含み、
前記通信手段が、前記第１の周波数チャネルで使用可能な通信方式を用いて前記第１の周波数チャネルで通信を行い、前記第２の周波数チャネルへの変更要求フレームに対する送達確認フレームを受信した場合に、前記第２の周波数チャネルで使用可能な通信方式を用いて、前記第２の周波数チャネルで通信を行う請求項１９記載の装置。
【請求項２２】
前記通信方式が、複数の変調符号化方式を含み、
前記通信手段が、前記第１の周波数チャネルで使用可能な変調符号化方式を用いて前記第１の周波数チャネルで通信を行い、前記第２の周波数チャネルへの変更要求フレームに対する送達確認フレームを受信した場合に、前記第２の周波数チャネルで使用可能な変調符号化を用いて、前記第２の周波数チャネルで通信を行う請求項２１記載の装置。
【請求項２３】
前記接続要求フレームがassociation requestフレームである請求項１９記載の装置。
【請求項２４】
前記第１の周波数チャネルで通信可能な第１のアンテナと、
前記第２の周波数チャネルで通信可能な第２のアンテナとをさらに具備し、
前記通信手段は、前記第１および第２のアンテナを用いてフレームを送受信する請求項１、請求項７、請求項１１、請求項１９のいずれか１項に記載の装置。
【請求項２５】
前記第１の周波数チャネルおよび第２の周波数チャネルで同時に通信可能なアンテナをさらに具備し、
前記通信手段は、前記アンテナを用いてフレームを送受信する請求項１、請求項７、請求項１１、請求項１９のいずれか１項に記載の装置。
【請求項２６】
少なくとも第１の周波数チャネルおよび第２の周波数チャネルで同時に通信可能な無線通信方法であって、
前記第２の周波数チャネルの情報として前記第２の周波数チャネルの識別子と、前記第２の周波数チャネルの周波数帯情報と、前記第２の周波数チャネルで用いるグループ識別情報とを前記第１の周波数チャネルで通知する通知ステップと、
前記第１の周波数チャネルおよび第２の周波数チャネルでフレームを送受信する通信ステップとを備え、
前記フレームが送信元アドレスと送信先アドレスを含み、
前記通信ステップにおいて、第１のアドレスが送信元アドレスに記載された接続要求フレームを前記第１の周波数チャネルで受信し、前記接続要求フレームの接続要求を許可した後、前記第１のアドレスが送信元アドレスに記載された前記第２の周波数チャネルへの変更要求フレームを前記第１の周波数チャネルで受信し、前記変更要求フレームの変更要求を許可すると、前記第２の周波数チャネルで、前記第１のアドレスを送信先アドレスとして指定したフレームの送信と、前記第１のアドレスが送信元アドレスに記載されたフレームの受信をする無線通信方法。
【請求項２７】
少なくとも第１の周波数チャネルおよび第２の周波数チャネルで通信可能であり、かつそのうちの少なくとも一つの周波数チャネルを選択して通信を行う無線通信方法であって、
第３の周波数チャネルの情報として、前記第３の周波数チャネルの周波数帯情報と、前記第３の周波数チャネルで用いるグループ識別情報とを前記第１の周波数チャネルで受信する受信ステップと、
前記第１の周波数チャネルもしくは第２の周波数チャネルでフレームを送受信する通信ステップとを備え、
前記フレームが送信元アドレスと送信先アドレスを含み、
前記通信ステップにおいて、第１のアドレスを送信先アドレスに記載した接続要求フレームを前記第１の周波数チャネルで送信し、前記接続要求フレームに対する許可を受信し、前記第３の周波数チャネルが前記第２の周波数チャネルと一致した場合に前記第１のアドレスを送信先アドレスに記載した前記第２の周波数チャネルへの変更要求フレームを前記第１の周波数チャネルで送信し、前記変更要求フレームに対する許可を受信すると、前記第３の周波数チャネルの情報を用いて前記第２の周波数チャネルで通信を行う無線通信方法。
【請求項２８】
前記第３の周波数チャネルの情報が、他の無線通信装置から通知される周波数チャネルの情報である請求項２７記載の方法。
【請求項２９】
少なくとも第１の周波数チャネルおよび第２の周波数チャネルで同時に通信可能な無線通信方法であって、
前記第２の周波数チャネルの情報として前記第２の周波数チャネルのチャネル幅と、前記第２の周波数チャネルの中心周波数とを前記第１の周波数チャネルで通知する通知ステップと、
前記第１の周波数チャネルおよび第２の周波数チャネルでフレームを送受信する通信ステップとを備え、
前記フレームが送信元アドレスと送信先アドレスを含み、
前記通信ステップにおいて、第１のアドレスが送信元アドレスに記載された接続要求フレームを前記第１の周波数チャネルで受信し、前記接続要求フレームの接続要求を許可した後、前記第１のアドレスが送信元アドレスに記載された前記第２の周波数チャネルへの変更要求フレームを前記第１の周波数チャネルで受信すると、前記第１のアドレスを送信先アドレスとして指定した送達確認フレームを前記第１の周波数チャネルで送信し、前記第２の周波数チャネルで、前記第１のアドレスを送信先アドレスとして指定したフレームの送信と、前記第１のアドレスが送信元アドレスに記載されたフレームの受信をする無線通信方法。
【請求項３０】
少なくとも第１の周波数チャネルおよび第２の周波数チャネルで通信可能であり、かつそのうちの少なくとも一つの周波数チャネルを選択して通信を行う無線通信方法であって、
第３の周波数チャネルの情報として、前記第３の周波数チャネルのチャネル幅と中心周波数とを前記第１の周波数チャネルで受信する受信ステップと、
前記第１の周波数チャネルもしくは第２の周波数チャネルでフレームを送受信する通信ステップとを備え、
前記フレームが送信元アドレスと送信先アドレスを含み、
前記通信ステップにおいて、第１のアドレスを送信先アドレスに記載した接続要求フレームを前記第１の周波数チャネルで送信し、前記接続要求フレームに対する許可を受信し、前記第３の周波数チャネルが前記第２の周波数チャネルと一致した場合に前記第１のアドレスを送信先アドレスに記載した前記第２の周波数チャネルへの変更要求フレームを前記第１の周波数チャネルで送信し、前記変更要求フレームに対する送達確認フレームを受信すると、前記第３の周波数チャネルの情報を用いて前記第２の周波数チャネルで通信を行う無線通信方法。
【請求項３１】
前記第３の周波数チャネルの情報が、他の無線通信装置から通知される周波数チャネルの情報である請求項３０記載の方法。
【手続補正２】
【補正対象書類名】図面
【補正対象項目名】図９
【補正方法】変更
【補正の内容】
【図９】
2013051696.tif 000001
【手続補正３】
【補正対象書類名】図面
【補正対象項目名】図１４
【補正方法】変更
【補正の内容】
【図１４】
2013051696.tif 000002
【手続補正４】
【補正対象書類名】図面
【補正対象項目名】図１７
【補正方法】変更
【補正の内容】
【図１７】
2013051696.tif 000003
【手続補正５】
【補正対象書類名】図面
【補正対象項目名】図２７
【補正方法】変更
【補正の内容】
【図２７】
2013051696.tif 000004
【手続補正６】
【補正対象書類名】図面
【補正対象項目名】図２８
【補正方法】変更
【補正の内容】
【図２８】
2013051696.tif 000005
【手続補正７】
【補正対象書類名】図面
【補正対象項目名】図３０
【補正方法】変更
【補正の内容】
【図３０】
2013051696.tif 000006
【手続補正８】
【補正対象書類名】図面
【補正対象項目名】図３４
【補正方法】変更
【補正の内容】
【図３４】
2013051696.tif 000007